(57)【特許請求の範囲】
【請求項１】
複数種類の図柄の変動を行うとともに、その変動表示を所定時間経過後に停止する図柄変動表示手段を有し、
前記図柄変動表示手段に停止表示された停止図柄の組合せが、特別の賞態様を構成する図柄の組合せである場合に、入賞と判定して遊技者に対して特別の利益を付与するようにした弾球遊技機において、
上記弾球遊技機は、
所定の範囲の乱数を発生する乱数発生手段と、
前記乱数発生手段によって発生した乱数を所定の条件の下に抽出する乱数抽出手段と、
前記乱数発生手段から発生する乱数値がとる全領域のうち、予め定められた特定の入賞領域を備えるとともに、該入賞領域に入賞図柄の組み合わせの図柄情報が予め記録された判定テーブルと、
前記乱数抽出手段が抽出した１つの乱数値を、前記判定テーブルと照合し、照合の結果、該乱数値が特定の入賞領域に属する場合には、入賞と判定する入賞判定手段と、
前記入賞判定手段が入賞と判定した場合に、入賞と判定した際に抽出した乱数値が属する入賞領域に記憶された入賞図柄の組み合わせの図柄情報にもとづいて、該図柄情報に対応する停止図柄の組み合わせを前記図柄変動表示手段に停止表示させ、前記入賞判定手段が入賞でないと判定した場合に、前記乱数値とは異なる計数値にもとづいて決定された停止図柄の組み合わせとして前記図柄変動表示手段に停止表示させる図柄停止制御手段と、
を備え、
前記特定の入賞領域は、複数個の不連続な単一の数値からなる、
ことを特徴とする弾球遊技機。
【請求項２】
入賞図柄には、以後の入賞確率を向上させる条件となる確率変動図柄を含むことを特徴とする請求項１又は２記載の弾球遊技機。
【発明の詳細な説明】
【０００１】
【発明の属する技術分野】
この発明は、弾球遊技機の入賞の判定と入賞図柄の決定に関するものである。
【０００２】
【従来の技術】
従来、この種の弾球遊技機としては、所定の範囲の乱数を発生する乱数発生手段と、前記乱数発生手段によって発生した乱数を所定の条件の下に抽出する乱数抽出手段とを備え、前記乱数抽出手段が抽出した乱数値にもとづいて入賞否かの抽選を行い、その抽選の結果が入賞となった場合には、複数種類存在する入賞図柄の組合せを、いずれの入賞図柄の組合せとするのかを決定し、図柄表示装置に停止表示させていた。そして、この入賞図柄の決定は、予め設定された入賞図柄の組合せの数に、最大計数値を対応させたカウンタを用い、図柄変動表示装置の図柄変動を開始させる始動口への遊技球の入球時に、該カウンタの計数する数字に対応する入賞図柄を抽出することによって、予め設定された複数の入賞図柄の組合せの内から、図柄表示装置に停止表示させる入賞図柄の組合せを決定していた。
【０００３】
また、上記カウンタは、所定時間経過するごとに、その数値を単位当たりの数だけ増加又は減少させることにより、計数を行っていた。
【０００４】
【発明が解決しようとする課題】
しかし、上記した従来の弾球遊技機では、前記カウンタにおける計数は、所定時間ごとに、単位当たりの数だけ増加又は減少させることにより行われるものである。
さらに、上記カウンタは、その最大計数値が、入賞図柄の組合せ数に対応しており、遊技中に常に入賞図柄が決定可能な状態としておかなければならないためには、遊技中何度もループしながらカウントする必要があった。また、前記カウンタの最大計数値は、入賞の判定に用いる前記乱数発生手段が発生する乱数値がとり得る数値の幅と比較すると、比較的小さな幅の数字であることから、入賞図柄の決定が規則性を備えたものとなり易かった。
【０００５】
すなわち、前記のカウンタにおいては、ある特定のカウント値は、カウンタが最小計数値から最大計数値まで計数する単位時間ごとといった所定の間隔で、再びカウントされるものであるから、仮に前記単位時間ごとに図柄の決定を行えば、同一の入賞図柄が繰り返して決定されることになる。
このため、特に、入賞図柄の組合せ中に、図柄表示装置に停止図柄として停止表示されると、以後の入賞確率を、例えば５倍に向上させる図柄の組合せである確率変動図柄が存在する場合に、一度停止図柄を確率変動図柄とすることができれば、以後の遊技において、例えばメトロノームなどを改造した体感器を用いて時間を計数することにより、上記カウンタが最大数をカウントするまでの単位時間を正数倍したタイミングで、図柄表示装置の図柄変動を開始させる始動口に遊技球を入球させれば、そのまま続けて停止図柄を、先に停止表示させた確率変動図柄とすることが可能となり、特定の遊技者のみが入賞確率の向上によって、飛び抜けて特別の利益を得易くなって、遊技の公平が担保できなくなるといった問題点があった。
【０００６】
そこで、請求項１記載の弾球遊技機は、上記した従来の技術の有する問題点に鑑みてなされたものであり、その目的とするところは、入賞図柄の決定を乱数を用いた抽選によって行うことにより、入賞図柄の決定について規則性を生ぜず、遊技の公平性を担保することのできる弾球遊技機を提供しようとするものである。
【０００７】
これに加え、請求項２記載の弾球遊技機は、特に入賞図柄に確率変動図柄を含むものついて、遊技の公平を担保することのできる弾球遊技機を提供しようとするものである。
【０００８】
【課題を解決するための手段】
本発明は、上記した目的を達成するためのものであり、以下にその内容を図面に示した実施例を用いて説明する。
請求項１記載の弾球遊技機は、所定の範囲の乱数を発生する乱数発生手段と、前記乱数発生手段によって発生した乱数を所定の条件の下に抽出する乱数抽出手段(ステップ101)と、前記乱数発生手段から発生する乱数値がとる全領域のうち、予め定められた特定の入賞領域を備えるとともに、該入賞領域に入賞図柄の組み合わせの図柄情報が予め記録された判定テーブル(図５)と、前記乱数抽出手段が抽出した１つの乱数値を、前記判定テーブルと照合し、照合の結果、該乱数値が特定の入賞領域に属する場合には、入賞と判定する入賞判定手段(ステップ102)と、前記入賞判定手段が入賞と判定した場合に、入賞と判定した際に抽出した乱数値が属する入賞領域に記憶された入賞図柄の組み合わせの図柄情報にもとづいて、該図柄情報に対応する停止図柄の組み合わせを前記図柄変動表示手段に停止表示させ、前記入賞判定手段(ステップ102)が入賞でないと判定した場合に、前記乱数値とは異なる計数値にもとづいて決定された停止図柄の組み合わせとして前記図柄変動表示手段に停止表示させる図柄停止制御手段（ステップ105又はステップ102）と、を備え、前記特定の入賞領域は、複数個の不連続な単一の数値からなる、ことことを特徴とする。
【０００９】
したがって、請求項１記載の弾球遊技機によれば、乱数発生手段は、所定の範囲の乱数を発生する。
乱数抽出手段は、前記乱数発生手段によって発生した乱数を所定の条件の下で、抽出する(ステップ101)。
入賞判定手段は、前記乱数抽出手段が抽出した１つの乱数値を、入賞判定テーブルと照合する(ステップ102)。
【００１０】
入賞判定テーブルには、前記乱数発生手段から発生する乱数値がとる全領域のうち、予め定められた特定の入賞領域を備えるとともに、該入賞領域には、入賞図柄の図柄情報が予め記録されている(図４)。
また、前記特定の入賞領域は、複数個の不連続な単一の数値からなるように構成されている。
入賞判定手段は、前記乱数値を入賞判定テーブルと照合した結果、該乱数値が入賞判定テーブルの入賞領域に属する場合には、入賞と判定する(ステップ102)。
【００１１】
また、図柄停止制御手段は、前記入賞判定手段が入賞と判定した場合に、この判定を行う際に抽出した乱数値が属する入賞領域に記憶された入賞図柄の図柄情報にもとづいて、該図柄に対応する停止図柄を、図柄変動表示手段に停止表示させる(ステップ105)。
したがって、乱数と、判定テーブル(図４)を用いて入賞図柄を決定することから、決定された入賞図柄に規則性が生じることがないため、特定の入賞図柄を狙えなくなり、いずれの遊技者にとっても公平な遊技が可能となる。
【００１２】
請求項２記載の弾球遊技機は、上記した請求項１記載の特徴点に加え、入賞図柄には、以後の入賞確率を向上させる条件となる確率変動図柄(図５)を含むことを特徴とする。
したがって、請求項２記載の弾球遊技機によれば、図柄変動表示手段に、確率変動図柄が停止表示されると、入賞判定手段は、それ以降の入賞の確率を変動させて、入賞確率を高くし、遊技者が特別の利益を得る確率を向上させる。
【００１３】
また、弾球遊技機の遊技に熟練した者であっても、入賞図柄に確率変動図柄が含まれている場合に、入賞図柄のうちから、確率変動図柄を狙って、図柄変動表示装置に停止表示させることはできない。
【００１４】
【発明の実施の形態】
図１〜６は、本発明の一実施の形態を示すものであり、図１は入賞及び停止図柄の決定に関する判定処理の概略を示したフロー図、図２はパチンコ機の概略正面図、図３は遊技盤の拡大正面図、図４は表示窓部分の拡大正面図、図５判定テーブルを内容を簡略に表形式に表した説明図、図６は入賞判定等における確率変動に関する確率変動処理の概略を示したフロー図を各々示す。
【００１５】
図２中、10は、弾球遊技機としてのパチンコ機の正面を示すものであり、このパチンコ機10は、その前面には遊技盤20を有し、遊技盤20の表面には、円弧状の外レール21及び内レール22の２本のレールからなる略円形状のガイドレール23で囲まれた略円形の遊技部30を備えている。
また、遊技盤20の表面には、図示しないが複数の釘が設けられ、遊技部30内を流下する遊技球は、これらの釘に当たって、その流下方向に変化が与えられる。
【００１６】
前記遊技部30内のほぼ中央には、図３に示すように、図柄変動表示手段としての図柄変動表示装置40が設けられている。
また、遊技部30内の図柄変動表示装置40の中央の下方には、図３に示すように、遊技球の入球により、図柄変動表示装置40による図柄の変動を開始させる始動口50が設けられている。そして、この始動口50内には、入球した遊技球を検出するための入球センサ51が配置されている。
【００１７】
また、前記始動口50の左右両側には、図３に示すように、遊技球が入球すると、遊技者に対して所定数の賞球を払い出す入賞口60が設けられている。
また、始動口50の真下には、入賞時に用いられる変動入賞装置70が設けられている。この変動入賞装置70は、図には詳しく示さないが、その前面に設けられた入球開口と、この入球開口を常時は塞いだ状態とするとともに、この入球開口を入賞時には開放する開閉扉とから構成されている。そして、開閉扉が入球開口を開放した状態となると、該入球開口に遊技球が入球しやすくなり、遊技者に特別の利益が与えられる。
【００１８】
また、上記変動入賞装置70の下方には、図３に示すように、内レール22の下端内縁を臨む位置に、発射された遊技球のうち、前記始動口50や、入賞口60などに入球しなかった遊技球をアウト球として回収するための略長円状の回収口80が設けられている。
上記図柄変動表示装置40は、図４に示すように、横並びに並んだ３つの表示窓41・・と、各表示窓41・・の奧方に各々配置された合計で３つの回転リール42・・とを備えている。そして、前記各表示窓41・・は、図４に示すように、透明又は半透明の材料で形成され、各表示窓41・・を通して各回転リール42・・の外周面を外部から目視することができるようになっている。
【００１９】
前記各回転リール42・・は、図には詳しく示さないが、モータにより回転可能に形成されるとともに、その外周面には、例えば複数種類の数字や絵柄から構成された図柄、本実施の形態では、「１〜１５」までの数字が複数個表示され、この数字を外部に表示することができる。そして、各回転リール42・・が回転することで、回転リール42・・の外周に表示された図柄を、各表示窓41・・を通して順次変動表示することができる。
【００２０】
また、各回転リール42・・は、図４に示すように、それぞれ回転の停止時において、各表示窓41・・を介して、各々１個の図柄を停止表示し、合計で３個の図柄を横並びに停止表示することができる。
そして、図柄変動表示装置40における停止図柄の組合せが、特別の賞態様を構成する組合せ、例えば「７７７」である場合には、特別遊技が行われ、遊技者に対して特別の利益が付与される。本実施の形態で、停止図柄の組合せが特別の賞態様を構成する図柄の組合せであるとは、各表示窓41・・に、例えば「１、１、１」、「２、２、２」・・・「７、７、７」・・「１５、１５、１５」のように、同一の数字が並んで表示された場合をいい、停止図柄の組合せが特別の賞態様を構成する図柄の組合せであれば、特別遊技が行われ、遊技者に対して特別の利益が付与される。
【００２１】
前記パチンコ機10の内部には、図柄変動表示装置40や変動入賞装置70などの各種制御を行うための電子的制御装置（図示せず）が設けられている。前記電子的制御装置は、ＣＰＵを中心に構成され、プログラムなどが記憶されたＲＯＭ、ＲＡＭ等を有するマイクロコンピュータから構成されている。
つぎに、上記ＲＯＭに記憶された内容の主要部分を、図１,５,６を用いて、以下に説明する。
【００２２】
上記プログラムは、図１に示すように、概略して、入賞及び停止図柄の決定に関する判定処理と、図６に示すように、入賞判定等における確率変動に関する確率変動処理との２つの処理を有する。
まず、入賞の判定及び停止図柄の決定に関する判定処理について、図１を用いて説明する。
【００２３】
ステップ100において、始動口50への遊技球の入球があったか否かが判定される。この判定は、前記電子的制御装置において行われ、電子的制御装置にあっては、始動口50に設けられた入球センサ51からの検出信号の出力の有無が監視されている。
上記ステップ100において、始動口50へ遊技球が入球したと判定された場合には、次のステップ101に進む。
【００２４】
ステップ101においては、乱数発生手段が発生する乱数値のうち、始動口50への入球を条件に、１の乱数値を抽出する。
前記乱数発生手段は、例えば「０〜５９９９」までの数字を、所定の間隔、例えば５ｍＳごとに発生させるものである。
つぎにステップ102に進み、入賞判定手段は、上記乱数抽出手段が抽出した乱数値を、判定テーブルと照合する。
【００２５】
判定テーブルは、図５に示すように、例えば乱数値「７」、「２７７」、「６１７」、・・・「５９３９」などの入賞領域を備えるとともに、該入賞領域には、各々停止図柄となる入賞図柄の図柄情報が予め定められ記憶されている。
また、本判定テーブルは、図５に示すように、入賞か否かの判定を行う際に、通常の入賞確率（通常確率）にもとづいて設定された通常確率の入賞領域と、通常の入賞確率よりも約５倍の入賞確率（高確率）にもとづいて設定された高確率の入賞領域との２種類の入賞領域を備えるとともに、入賞図柄が確率変動図柄であるか否かの情報も記憶されている。
【００２６】
なお、図５中、停止図柄の欄に表示されている数字は、図柄変動表示装置40の表示窓41を介して、横並びに停止表示された図柄を示すものであり、例えば停止図柄の欄に、「７」と記載されている場合には、図柄変動表示装置40に、３個の「７」が横並びに停止表示される状態を示す。
上記判定テーブルによる照合の結果、上記乱数抽出手段が抽出した１つの乱数値が入賞領域に属すると判定された場合には、次のステップ103に進む。
【００２７】
例えば抽出した乱数値が「４６０３」である場合には、図５に示すように、通常確率時及び高確率時のいずれにおいても入賞領域に属すると判定される。
ステップ103においては、先のステップ102において判定した際に抽出した乱数値が属する入賞領域に記憶された入賞図柄の図柄情報にもとづいて、該図柄情報に対応する停止図柄が自動的に決定され、次のステップ104に進む。
【００２８】
例えば抽出した乱数値が、「４６０３」である場合には、図５に示すように、入賞図柄（停止図柄）は、「９」、すなわち「９９９」の横並びが入賞図柄とされる。
ステップ104においては、図柄変動表示装置40は、図柄の変動を開始し、所定時間が経過すると、次のステップ105に進む。
【００２９】
ステップ105においては、図柄停止制御手段は、図柄変動表示装置40による図柄の変動を停止させるとともに、上記ステップ103において決定された入賞図柄の図柄情報にもとづいて、入賞図柄を停止表示させる。
例えば乱数抽出手段が抽出した乱数値が「４６０３」である場合には、入賞図柄「９９９」を、図柄変動表示装置40に停止表示させる。
【００３０】
つぎに、ステップ106においては、図柄変動表示装置40に停止表示された入賞図柄、すなわち停止図柄が、以後の入賞確率を向上させる条件となる確率変動図柄、すなわち確変図柄であるか否かが判定される。
例えば入賞図柄「９９９」は、図５に示すように、確率変動図柄であると判定される。
【００３１】
ステップ106において、停止図柄が確変図柄であると判定された場合には、次のステップ107に進み、入賞判定等における確率変動に関する確率変動処理が行われ、、確率変動処理の終了後、入賞の判定及び停止図柄の決定に関する判定処理を終了する。
上記ステップ100において、始動口50へ遊技球が入球したと判定されない場合には、始動口50に設けられた入球センサ51からの検出信号の出力の有無が継続して監視される。
【００３２】
また、上記ステップ102において、上記判定テーブルによる照合の結果、上記乱数抽出手段が抽出した１つの乱数値が入賞領域に属しない乱数値であると判定されると、ステップ108に進み、非入賞時における停止図柄、すなわち非入賞図柄の決定をを行う。
非入賞図柄の決定は、様々の方法が想定されるが、例えばカウンタを用い、カウンタの計数値に停止図柄を予め対応させておくなどの方法により非入賞図柄を決定する。
【００３３】
また、上記ステップ106において、停止図柄が確変図柄でないと判定された場合には、そのまま入賞の判定及び停止図柄の決定に関する判定処理を終了する。  つぎに、入賞判定等における確率変動に関する確率変動処理について、図６を用いて説明する。
まず、ステップ110においては、前回の入賞か否かの判定で、乱数抽出手段が抽出した乱数値を照合した判定テーブルにおいては、入賞確率の高い高確率の入賞領域を用いて照合が行われた否かが判定される。
【００３４】
ステップ110において、判定テーブルは高確率の入賞領域を用いたと判定された場合には、次のステップ111に進み、高確率の入賞領域を用いて入賞を行った回数をカウントする高確率時抽選回数カウンタのカウンタ値Ｘを「１」加算する。
つぎに、ステップ112においては、上記高確率時抽選回数カウンタのカウンタ値Ｘが２以上であるか否かが判定される。
【００３５】
ステップ112において、カウンタ値が２以上であると判定された場合には、次のステップ113に進み、入賞判定手段が次回の入賞判定に用いる判定テーブルを、通常確率時における入賞領域を用いたものに変更する。
このステップ113においては、高確率の入賞領域を用いた判定テーブルでの入賞判定の回数を連続で２回に制限するものである。したがって、本実施の形態においては、いわゆる確率変動によって、入賞確率が向上した状態は、２回の入賞の判定で、一旦終了することとなる。
【００３６】
つぎに、ステップ114に進み、上記高確率時抽選回数カウンタのカウンタ値Ｘを帰零し、入賞判定等における確率変動に関する確率変動処理を終了する。
上記ステップ110において、判定テーブルは高確率の入賞領域を用いたものでないと判定された場合、すなわち通常確率の入賞領域を用いたものであると判定された場合には、ステップ115に進み、入賞判定手段が次回の入賞判定に用いる判定テーブルを、高確率の入賞領域を用いたものに変更し、入賞判定等における確率変動に関する確率変動処理を終了する。
【００３７】
したがって、次回の入賞判定においては、入賞判定テーブルの高確率の入賞領域を用いて照合を行うこととなる。
また、上記ステップ112において、上記高確率時抽選カウンタのカウンタ値Ｘが「２」未満、すなわち、「０」又は「１」であると判定された場合には、判定テーブルは、高確率の入賞領域を用いたものままで、入賞判定等における確率変動に関する確率変動処理を終了する。
【００３８】
したがって、次回の入賞判定においても、入賞判定テーブルの高確率の入賞領域を用いて照合を行うこととなる。
また、上記ステップ106において、停止図柄が確変図柄でないと判定された場合には、そのまま入賞の判定及び停止図柄の決定に関する判定処理を終了する。  上記の入賞の判定及び停止図柄の決定に関する判定処理を終了すると、図柄変動表示装置40に停止表示された停止図柄如何によって、遊技者に対して特別の利益を付与するか否かの処理が行われる。
【００３９】
遊技者に対して特別の利益を付与するか否かの処理は、先に説明した停止図柄が入賞図柄である場合に行われる。
停止図柄の組合せが、図柄変動表示装置40に、入賞図柄の組合せ、例えば横並びに「７７７」と停止表示された場合に、遊技者に対して特別の利益が付与される。
【００４０】
遊技者に対して付与される特別の利益は、本実施の形態では、前記変動入賞装置70が、遊技球を受け入れがたい状態から、所定球の遊技球が入球するまで、あるいは所定時間が経過するまで、遊技球を受け入れやすい状態に変換することにより行われる。
なお、本実施の形態では、図柄変動表示装置40には、回転リール42・・を用いたものを説明したが、図柄変動表示装置40はこれに限らず、例えばＣＲＴやＬＣＤを用いたものであってもよい。
【００４１】
また、本実施の形態では、図柄変動表示装置40は、各表示窓41・・ごとに、１個の図柄を表示することができると説明したが、各表示窓41・・で表示できる図柄の数はこれに限らず、例えば１つの表示窓41に上段、中段、下段の３つの位置に各々図柄を、合計３個の図柄を表示できるものであってもよい。また、この場合には、図柄変動表示装置40に停止表示された停止図柄の組合せが、入賞図柄の組合せであるか否かを判断するラインは、各表示窓41・・の中段位置を結んだ中央ラインのみならず、各表示窓41・・の上段位置を結ぶ上段ライン、各表示窓41・・の下段位置を結ぶ下段ライン、中央の表示窓41で×点状に交わる斜めの２本のラインとを加えたものであってもよい。
【００４２】
【発明の効果】
本発明は、以上のように構成されているので、以下に記載されるような効果を奏する。
請求項１記載の弾球遊技機によれば、入賞図柄の決定を乱数を用いた抽選によって行うことにより、入賞図柄の決定について規則性を生ぜず、遊技の公平性を担保することのできる弾球遊技機を提供することができる。
【００４３】
これに加え、請求項２記載の弾球遊技機によれば、特に入賞図柄に確率変動図柄を含むものついて、遊技の公平を担保することのできる弾球遊技機を提供することができる。
【図面の簡単な説明】
【図１】  入賞及び停止図柄の決定に関する判定処理の概略を示したフロー図である。
【図２】  パチンコ機の概略正面図である。
【図３】  遊技盤の拡大正面図である。
【図４】  表示窓部分の拡大正面図である。
【図５】  判定テーブルを内容を簡略に表形式に表した説明図である。
【図６】  入賞判定等における確率変動に関する確率変動処理の概略を示したフロー図である。
【符号の説明】
10  パチンコ機        20  遊技盤
21  外レール          22  内レール
23  ガイドレール      30  遊技部
40  図柄変動表示装置  41  表示窓
42  回転リール        50  始動口
51  入球センサ        60  入賞口
70  変動入賞装置      80  回収口
【図１】
0003722302.tif 000002
【図２】
0003722302.tif 000003
【図３】
0003722302.tif 000004
【図４】
0003722302.tif 000005
【図５】
0003722302.tif 000006
【図６】
0003722302.tif 000007